(57)【要約】      （修正有）【課題】電線等の外周部をスムーズに回転するとともに、小鳥から大きな鳥までの鳥が止まるのを糸で防止し、かつ糸に鳥が巻き付いても、容易に外れて鳥害の防止を効率よく図ることができる電線等の鳥害防止具を得ること。【解決手段】内部に電線２等を挿入することができる開閉手段３で開閉が可能な一対の支持リング４と、この一対の支持リング４間に所定間隔で配置される３本以上の支持バー５と、この支持バー５の両端部をスライド移動可能に支持する一対の支持リング４に取付けられた支持バー支持体６と、この一対の支持リング４を常時外方へ突出するように付勢する付勢体と、一対の支持リング４にそれぞれ所定間隔で外方へ突出するように形成された少なくとも５個以上の糸支持片８と、この一対の糸支持片８間に付勢体の付勢力が作用するように取付けられた５本以上の糸９とで構成される電線２等の鳥害防止具。【選択図】図１
2007202502.tif 000002
【特許請求の範囲】
【請求項１】
内部に電線等を挿入することができる開閉手段で開閉が可能な一対の支持リングと、この一対の支持リング間に所定間隔で配置される少なくとも３本以上の支持バーと、この少なくとも３本以上の支持バーの両端部をスライド移動可能、あるいは一方の端部をスライド移動可能で他方を固定状態で支持する前記一対の支持リングに取付けられた支持バー支持体と、前記少なくとも３本以上の支持バーの両端部あるいは一方の端部をスライド移動可能に支持する支持バー支持体にそれぞれ取付けられた、前記一対の支持リングを常時外方へ突出するように付勢する付勢体と、前記一対の支持リングにそれぞれ所定間隔で外方へ突出するように形成された少なくとも５個以上の糸支持片と、この一対の支持リングに形成された少なくとも５個以上の糸支持片間に、前記付勢体の付勢力が作用するように取付けられた５本以上の糸とからなることを特徴とする電線等の鳥害防止具。
【請求項２】
内部に電線等を挿入することができる開閉手段で開閉が可能な一対の支持リングと、この一対の支持リング間に所定間隔で配置される少なくとも３本以上の支持バーと、この少なくとも３本以上の支持バーの両端部をスライド移動可能、あるいは一方の端部をスライド移動可能で他方を固定状態で支持する前記一対の支持リングに取付けられた支持バー支持体と、前記少なくとも３本以上の支持バーの両端部あるいは一方の端部をスライド移動可能に支持する支持バー支持体にそれぞれ取付けられた、前記一対の支持リングを常時外方へ突出するように付勢する付勢体と、前記一対の支持リングにそれぞれ所定間隔で外方へ突出するように形成された少なくとも５個以上の糸支持片と、この一対の支持リングに形成された少なくとも５個以上の糸支持片間に、前記付勢体の付勢力が作用するように取付けられた５本以上の糸と、前記一対の支持リングに外方へ突出して先端部がフランジ状となり、接続具で接続することができるように形成された接続片と、前記少なくとも３本以上の支持バーが貫通する貫通孔が形成された支持バーのよじれ防止部材とを備えることを特徴とする電線等の鳥害防止具。
【請求項３】
内部に電線を挿入することができる開閉手段で開閉が可能な一対の支持リングと、この一対の支持リングに所定間隔で両端部が固定された少なくとも３本以上の支持バーと、前記一対の支持リングにそれぞれ所定間隔で外方へ突出するように形成された少なくとも５個以上の糸支持片と、この一対の支持リングに形成された少なくとも５個以上の糸支持片間に、常時付勢スプリングで一定の付勢力が付与されるように取付けられた少なくとも６本の糸とからなることを特徴とする電線等の鳥害防止具。
【発明の詳細な説明】
【技術分野】
【０００１】
本発明は電線等に鳥が止まるのを阻止することができるとともに、電線等に鳥が近づけないようにする電線等の鳥害防止具に関する。
【背景技術】
【０００２】
従来の電線等の鳥害防止具は軸心が同一で、かつ電線等を通すための２つ以上のリング体と、これらのリング体と一体に形成され、かつこれらのリング体の周面外方で各リング体を連結する連結部と、リング体の軸心に対して連結部と対称位置に設けられ、かつリング体と一体に形成されているアーム部とを備え、前記アーム部のうち左右の両端に位置するリング体に設けられているアーム部は、その先端をこれらのリング体の距離よりも短い距離となるような位置にまで延ばして設けられているとともに、各アーム部の先端近辺には磁石を固定して構成されている。
【０００３】
このため、２つ以上のリング体と電線等との接触抵抗が大きくなると、重りとしての磁石が作用しなくなり、小鳥が連結部の連結体に止まって、鳥害の防止を十分に図ることができないという欠点があった。
【特許文献１】特開２０００−２０１６１２
【発明の開示】
【発明が解決しようとする課題】
【０００４】
本発明は以上のような従来の欠点に鑑み、電線等の外周部をスムーズに回転するとともに、小鳥から大きな鳥までの鳥が止まるのを糸で防止し、かつ糸に鳥が巻き付いても、容易に外れて鳥害の防止を効率よく図ることができる電線等の鳥害防止具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は内部に電線等を挿入することができる開閉手段で開閉が可能な一対の支持リングと、この一対の支持リング間に所定間隔で配置される少なくとも３本以上の支持バーと、この少なくとも３本以上の支持バーの両端部をスライド移動可能、あるいは一方の端部をスライド移動可能で他方を固定状態で支持する前記一対の支持リングに取付けられた支持バー支持体と、前記少なくとも３本以上の支持バーの両端部あるいは一方の端部をスライド移動可能に支持する支持バー支持体にそれぞれ取付けられた、前記一対の支持リングを常時外方へ突出するように付勢する付勢体と、前記一対の支持リングにそれぞれ所定間隔で外方へ突出するように形成された少なくとも５個以上の糸支持片と、この一対の支持リングに形成された少なくとも５個以上の糸支持片間に、前記付勢体の付勢力が作用するように取付けられた５本以上の糸とで電線等の鳥害防止具を構成している。
【発明の効果】
【０００７】
以上の説明から明らかなように、本発明にあっては次に列挙する効果が得られる。
【０００８】
（１）内部に電線等を挿入することができる開閉手段で開閉が可能な一対の支持リングと、この一対の支持リング間に所定間隔で配置される少なくとも３本以上の支持バーと、この少なくとも３本以上の支持バーの両端部をスライド移動可能、あるいは一方の端部をスライド移動可能で他方を固定状態で支持する前記一対の支持リングに取付けられた支持バー支持体と、前記少なくとも３本以上の支持バーの両端部あるいは一方の端部をスライド移動可能に支持する支持バー支持体にそれぞれ取付けられた、前記一対の支持リングを常時外方へ突出するように付勢する付勢体と、前記一対の支持リングにそれぞれ所定間隔で外方へ突出するように形成された少なくとも５個以上の糸支持片と、この一対の支持リングに形成された少なくとも５個以上の糸支持片間に、前記付勢体の付勢力が作用するように取付けられた５本以上の糸とで構成されているので、電線等の外周部に配置することにより、鳥が止まるのを複数本の糸で阻止することができる。
したがって、鳥が止まれず、鳥害の防止を図ることができる。
【０００９】
（２）前記（１）によって、一対の支持リング間の寸法が少なくとも３本以上支持バーの両端部あるいは一方の端部に取付けられた付勢体で常時広がる方向に付勢されているので、鳥が支持バーに止まろうとして糸に巻き付いても、糸が伸縮してその巻き付きを解除することができる。
したがって、鳥が糸に引っ掛かって吊り下げ状態になったりする不具合を効率よく阻止することができる。
【００１０】
（３）前記（１）によって、電線等の外周部に配置するだけで、どの回動位置でも同様な効果が得られるので、設置が容易にできる。
【００１１】
（４）請求項２も前記（１）〜（３）と同様な効果が得られるとともに、複数個を容易に直列接続することができ、かつ少なくとも３本以上の支持バーがよじれるのを確実に防止することができる。
【００１２】
（５）請求項３も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図１０に示す本発明を実施するための最良の第１の形態において、１は本発明のケーブルや電線等に取付けられて使用される電線等の鳥害防止具で、この電線等の鳥害防止具１は内部に電線２を挿入することができる開閉手段３で開閉が可能な一対の支持リング４、４と、この一対の支持リング４、４間に所定間隔で配置される少なくとも３本以上、本発明を実施する形態では４本の支持バー５、５、５、５と、この４本の支持バー５、５、５、５の両端部をスライド移動可能に支持する、前記一対の支持リング４、４に取付けられた、該支持リング４、４側が閉塞されたパイプ状の支持バー支持体６、６、６、６、６、６、６、６と、この支持バー支持体６、６、６、６、６、６、６、６内にそれぞれ収納された付勢体としての付勢スプリング７、７、７、７、７、７、７、７と、前記一対の支持リング４、４にそれぞれ所定間隔で外方へ突出するように形成された少なくとも５個以上、本発明を実施する形態では６個の糸支持片８、８、８、８、８、８、８、８、８、８、８、８と、この一対の支持リング４、４にそれぞれ形成された６個の糸支持片８、８、８、８、８、８、８、８、８、８、８、８間に、前記付勢スプリング７、７、７、７、７、７、７、７の付勢力が作用するように取付けられたテグスやケブラ繊維糸等の６本の糸９、９、９、９、９、９と、前記４本の支持バー５、５、５、５のよじれを防止するよじれ防止部材１０と、前記一対の支持リング４、４にそれぞれ形成された外方へ突出して電線２を支持するとともに、直列接続する場合の接続具１１の接続片となる支持接続片１２、１２とで構成されている。
【００１５】
前記一対の支持リング４、４はヒンジ部材１３で開閉できるように接続された半円弧状の支持リング片１４、１４と、この支持リング片１４、１４の遊端部に形成された開閉手段３としてのＣ字状の軸受部１５、この軸受部１５と嵌合する玉縁形状の軸部１６と、前記支持リング片１４、１４の外側面に一体形成された断面Ｌ字状の電線支持片１７、１７、この電線支持片１７、１７の先端部より外方へ突出するフランジ状に形成された接続片１８、１８とからなる支持接続片１２、１２とからなり、前記支持リング片１４、１４に所定間隔で形成された前記電線支持片１７、１７の支持部より外側に位置するように支持バー支持体６、６、６、６が固定されるとともに、外方へ突出するように糸支持片８、８、８、８、８、８が固定されている。
【００１６】
前記よじれ防止部材１０は前記４本の支持バー５、５、５、５が挿入される挿入孔１９、１９、１９、１９がそれぞれ形成された２対のヒンジ部材２０で開閉できる半円弧状の円板２１、２１、２１、２１と、この２対の円板２１、２１、２１、２１を所定間隔で接続する、前記挿入孔１９、１９、１９、１９部位に固定された間隔保持兼支持バー挿入筒２２、２２、２２、２２と、前記２対の円板２１、２１、２１、２１の開口部を閉じる開閉手段３とで構成されている。
【００１７】
上記構成の電線等の鳥害防止具１は図９に示すように、一対の支持リング４、４およびよじれ防止部材１０を開放し、内部に電線２を挿入した後、一対の支持リング４、４を開閉手段３、３で閉じるとともに、よじれ防止部材１０も開閉手段３で閉じる。
この状態で一対の支持リング４、４の電線支持片１７、１７が電線２に支持された状態となり、鳥が止まろうとすると糸９に触れて支持バー５、５、５、５に止まることとができない。
また、糸９に鳥がからみついても、糸９は付勢体の付勢スプリング７に付勢され伸縮するため、鳥が暴れると、容易に外れて逃げることができる。
さらに、風や雪等によって回転したとしても、複数本の支持バー５、５、５、５の上部位置に糸９が位置するため、鳥が止まるのを確実に防止することができる。
【００１８】
電線等の鳥害防止具１の幅寸法を長くして使用する場合には、図１０に示すように複数個の電線等の鳥害防止具１、１を電線２に取付け、端部の接続片１８、１８を接続具１１のヒンジ部材２３で開閉できる半円弧状のカバー筒２４、２４内に挿入して、カバー筒２４、２４の開口部２５を開閉手段３で閉じることにより、並列接続して使用することができる。
[発明を実施するための異なる形態]
【００１９】
次に、図１１ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１１ないし図１３に示す本発明を実施するための第２の形態において、前記本発明を実施するための最良の第１の形態と主に異なる点は、支持バー５、５、５、５の一端部だけ付勢スプリング７、７、７、７で付勢できるようにした点で、このように構成した電線等の鳥害防止具１Ａにしても、前記本発明を実施するための最良の第１の形態と同様な作用効果が得られる。
【００２１】
図１４ないし図１７に示す本発明を実施するための第３の形態において、前記本発明を実施するための最良の第１の形態と主に異なる点は、１０個の糸支持片８、８、８、８、８、８、８、８、８、８を形成した一対の支持リング４Ａ、４Ａと１０本の糸９とを用いるとともに、外方から支持バー５、５、５、５を挿入することができるＣ字状の挿入孔２６、２６、２６、２６を形成したよじれ防止部材１０Ａを用いた点で、このように構成した電線等の鳥害防止具１Ｂにしても前記本発明を実施するための最良の第１の形態と同様な作用効果が得られる。
【００２２】
図１８ないし図２１に示す本発明を実施するための第４の形態において、前記本発明を実施するための最良の第１の形態と主に異なる点は、一対の円板２１、２１に支持バー挿入筒２２、２２、２２、２２を外方へ突出するように取付けたよじれ防止部材１０Ｂ
と、４本の支持バー５、５、５、５の両端部を一対の支持リング４、４に固定的に取付けるとともに、６対の糸支持片８、８、８、８、８、８、８、８、８、８、８、８に取付けられる糸９、９、９、９、９、９を常時付勢するように付勢スプリング２７、２７、２７、２７、２７、２７を介して取付けた点で、このように構成した電線等の鳥害防止具１Ｃにしても、前記本発明を実施するための最良の第１の形態と同様な作用効果が得られる。
【００２３】
なお、前記本発明を実施する形態では４本の支持バーを用いるものについて説明したが、本発明はこれに限らず、３本以上の支持バーを用いるものでも、同様な作用効果が得られる。
また、一対の支持リング４、４間が常時広がるように付勢する付勢体として、付勢スプリングを用いるものについて説明したが、本発明はこれに限らず、ゴムや合成樹脂材製のスプリングや弾性体を用いてもよい。
さらに、支持リング４、４、よじれ防止部材１０、１０Ｂ  および接続具１１の開閉手段３は軸受部１５と軸１６とからなるもの以外の、面ファスナー、係止具、係止金具等、開閉できるものであれば、どんな構造のものであってもよい。
【産業上の利用可能性】
【００２４】
本発明は電線等の鳥害防止具を製造する産業で利用される。
【図面の簡単な説明】
【００２５】
【図１】本発明を実施するための最良の第１の形態の使用説明図。
【図２】本発明を実施するための最良の第１の形態の正面図。
【図３】本発明を実施するための最良の第１の形態の拡大側面図。
【図４】図２の４−４線に沿う拡大断面図。
【図５】図２の５−５線に沿う拡大断面図。
【図６】図３の６−６線に沿う断面図。
【図７】本発明を実施するための最良の第１の形態の支持リングの説明図。
【図８】本発明を実施するための最良の第１の形態のよじれ防止部材の説明図。
【図９】本発明を実施するための最良の第１の形態の取付ける状態の説明図。
【図１０】本発明を実施するための最良の第１の形態の接続して使用する状態の説明図。
【図１１】本発明を実施するための第２の形態の正面図。
【図１２】図１１の１２−１２線に沿う拡大断面図。
【図１３】図１１の１３−１３線に沿う拡大断面図。
【図１４】本発明を実施するための第３の形態の正面図。
【図１５】図１４の１５−１５線に沿う拡大断面図。
【図１６】図１４の１６−１６線に沿う拡大断面図。
【図１７】本発明を実施するための第３の形態のよじれ防止部材の説明図。
【図１８】本発明を実施するための第４の形態の正面図。
【図１９】本発明を実施するための第４の形態の拡大側面図。
【図２０】図１８の２０−２０線に沿う拡大断面図。
【図２１】本発明を実施するための第４の形態のよじれ防止部材の説明図。
【符号の説明】
【００２６】
１、１Ａ、１Ｂ、１Ｃ：電線等の鳥害防止具、
２：電線、                    ３：開閉手段、
４：支持リング、              ５：支持バー、        
６：支持バー支持体、          ７：付勢スプリング、
８：糸支持片、                ９：糸、
１０、１０Ａ、１０Ｂ：よじれ防止部材、
１１：接続具、                １２：支持接続片、
１３：ヒンジ部材、            １４：支持リング片、
１５：軸受部、                １６：軸、
１７：電線支持片、            １８：接続片、
１９：挿入孔、                ２０：ヒンジ部材、
２１：半円弧状の円板、        ２２：間隔保持兼支持バー挿入筒、
２３：ヒンジ部材、            ２４：カバー筒、
２５：開口部、                ２６：挿入孔、
２７：付勢スプリング。
【図１】
2007202502.tif 000003
【図２】
2007202502.tif 000004
【図３】
2007202502.tif 000005
【図４】
2007202502.tif 000006
【図５】
2007202502.tif 000007
【図６】
2007202502.tif 000008
【図７】
2007202502.tif 000009
【図８】
2007202502.tif 000010
【図９】
2007202502.tif 000011
【図１０】
2007202502.tif 000012
【図１１】
2007202502.tif 000013
【図１２】
2007202502.tif 000014
【図１３】
2007202502.tif 000015
【図１４】
2007202502.tif 000016
【図１５】
2007202502.tif 000017
【図１６】
2007202502.tif 000018
【図１７】
2007202502.tif 000019
【図１８】
2007202502.tif 000020
【図１９】
2007202502.tif 000021
【図２０】
2007202502.tif 000022
【図２１】
2007202502.tif 000023